(57)【要約】【課題】  基材に成膜される酸化物膜の膜質及び成膜速度を向上させて生産効率の向上を図ることができる極めて実用性に秀れた画期的な大気開放型化学気相析出装置を提供することである。【解決手段】  気化させた成膜材料とキャリアーガスとから成る材料ガスを、材料噴霧手段10により大気開放下で加熱される基材１に吹き付けてこの基材１の両面に酸化物膜を成膜する大気開放型化学気相析出装置であって、基材１の片面に前記材料ガスを吹き付けて酸化物膜を成膜する第一成膜室２と、この基材１の反対面に前記材料ガスを吹き付けて酸化物膜を成膜する第二成膜室３とを有し、この第一成膜室２若しくは第二成膜室３において基材１の片面に酸化物膜を成膜する際、この反対側の面を加熱する加熱手段４を、第一成膜室２若しくは第二成膜室３のいずれか一方若しくは双方に設け、この第一成膜室２及び第二成膜室３に基材１を順次搬送し得る搬送手段５を備えて、この搬送手段５による搬送により前記基材１の両面に順次酸化物膜を成膜できるように構成したものである。【選択図】      図１
2005330530.tif 000002
【特許請求の範囲】
【請求項１】
気化させた成膜材料とキャリアーガスとから成る材料ガスを、材料噴霧手段により大気開放下で加熱される基材に吹き付けてこの基材の両面に酸化物膜を成膜する大気開放型化学気相析出装置であって、基材の片面に前記材料ガスを吹き付けて酸化物膜を成膜する第一成膜室と、この基材の反対面に前記材料ガスを吹き付けて酸化物膜を成膜する第二成膜室とを有し、この第一成膜室若しくは第二成膜室において基材の片面に酸化物膜を成膜する際、この反対側の面を加熱する加熱手段を、第一成膜室若しくは第二成膜室のいずれか一方若しくは双方に設け、この第一成膜室及び第二成膜室に基材を順次搬送し得る搬送手段を備えて、この搬送手段による搬送により前記基材の両面に順次酸化物膜を成膜できるように構成したことを特徴とする大気開放型化学気相析出装置。
【請求項２】
前記第一成膜室及び第二成膜室の双方に前記加熱手段を設け、この第一成膜室は、前記基材の片面に前記材料ガスを吹き付けながら、この反対側の面を前記加熱手段により加熱し得るように構成し、前記第二成膜室は、基材の前記第一成膜室において酸化物膜が成膜される前記片面の反対面に前記材料ガスを吹き付けながら、この反対側の面を前記加熱手段により加熱し得るように構成したことを特徴とする請求項１記載の大気開放型化学気相析出装置。
【請求項３】
前記第一成膜室に、前記基材の片面の略全面に前記材料ガスを吹き付け得る材料噴霧手段と、この反対側の面の略全面を加熱し得る加熱手段とを設け、前記第二成膜室に、前記基材の前記第一成膜室において酸化物膜が成膜される片面の反対面の略全面に前記材料ガスを吹き付け得る材料噴霧手段と、この反対側の面の略全面を加熱し得る加熱手段とを設けたことを特徴とする請求項２記載の大気開放型化学気相析出装置。
【請求項４】
前記第一成膜室は、縦型に保持された前記基材の片面に前記材料ガスを吹き付けながら、この反対側の面を加熱し得るように前記材料噴霧手段と加熱手段とを構成し、前記第二成膜室は、縦型に保持された前記基材の前記第一成膜室において酸化物膜が成膜される片面の反対面に前記材料ガスを吹き付けながら、この反対側の面を加熱し得るように前記材料噴霧手段と加熱手段とを構成したことを特徴とする請求項２，３のいずれか１項に記載の大気開放型化学気相析出装置。
【請求項５】
前記搬送手段は、前記基材を縦型に保持したまま前記第一成膜室及び第二成膜室に順次搬送し得るように構成したことを特徴とする請求項２〜４のいずれか１項に記載の大気開放型化学気相析出装置。
【請求項６】
前記加熱手段は、前記基材の下側程高温で加熱するように構成して、前記基材の略全面を略均一な温度に加熱し得るように構成したことを特徴とする請求項１〜５のいずれか１項に記載の大気開放型化学気相析出装置。
【請求項７】
前記第一成膜室若しくは第二成膜室に搬送される基材を予備加熱する予備加熱室を備えたことを特徴とする請求項１〜６のいずれか１項に記載の大気開放型化学気相析出装置。
【請求項８】
前記予備加熱室に基材を両面から加熱する予備加熱手段を設けたことを特徴とする請求項７記載の大気開放型化学気相析出装置。
【請求項９】
前記予備加熱室，第一成膜室及び第二成膜室を一方向に隣接若しくは近接状態に配設し、前記搬送手段による搬送により、前記基材が前記各室において連続的に処理されるように構成したことを特徴とする請求項７，８のいずれか１項に記載の大気開放型化学気相析出装置。
【請求項１０】
前記予備加熱室，第一成膜室及び第二成膜室の底部に、夫々前記搬送手段により搬送される基材若しくはこの搬送手段が通過し得る搬送スリット部を設けたことを特徴とする請求項７〜９のいずれか１項に記載の大気開放型化学気相析出装置。
【請求項１１】
前記予備加熱室，第一成膜室及び第二成膜室を、これら各室を仕切る仕切り弁部を介して連設状態に設けたことを特徴とする請求項７〜１０のいずれか１項に記載の大気開放型化学気相析出装置。
【請求項１２】
前記第二成膜室に連設状態に、基材を冷却するための冷却手段を設けた冷却室を設けたことを特徴とする請求項１〜１１のいずれか１項に記載の大気開放型化学気相析出装置。
【請求項１３】
前記基材を第一成膜室及び第二成膜室において成膜する際、停止状態若しくは搬送状態で酸化物膜を成膜し得るように前記搬送手段を構成したことを特徴とする請求項１〜１２のいずれか１項に記載の大気開放型化学気相析出装置。
【発明の詳細な説明】
【技術分野】
【０００１】
本発明は、大気開放型化学気相析出装置に関するものである。
【背景技術】
【０００２】
大気開放型の化学気相析出装置（ＣＶＤ装置）は、成膜室において気化させた成膜材料とキャリアーガスとから成る材料ガスを、大気開放下で加熱される基材に吹き付けることで成膜を行うものである。
【０００３】
この大気開放型のＣＶＤ装置としては、例えば特開２００１−２５４１８０号公報（特許文献１）に開示されているように、加熱された基材の両面から前記材料ガスを吹き付けることで、この基材の両面に同時に成膜を行える構成のものがある。
【０００４】
【特許文献１】特開２００１−２５４１８０号公報
【発明の開示】
【発明が解決しようとする課題】
【０００５】
ところで、上述のような構成のＣＶＤ装置においては、確かに基材を入れ替えて片面ずつに成膜を行う場合に比し、基材の両面に同時に成膜を行え、それだけ手間がかからないことになるが、キャリアーガス（材料ガス）は、成膜材料が酸化反応をしない温度、例えば３５０度程度に加熱されているのに対し、基材は、前記成膜材料が酸化反応する温度、例えば６００度程度にまで加熱されている。
【０００６】
材料ガスと基材とに大きな温度差がある状態で材料ガスを薄い基材に両面から吹き付けた場合、適正な酸化反応温度に加熱された基材の温度低下が顕著となり、酸化反応に不適正な温度となってしまい、その結果膜質及び成膜速度の低下を招き、両面に同時に成膜を行うことで却って生産効率が低下してしまうという問題がある。
【０００７】
本発明は、上述の問題点を解決するもので、搬送手段により搬送される基材の非成膜面を加熱しながら片面ずつ連続的に酸化物膜を成膜することにより、簡易な構成で材料ガスを吹き付けた際に基材の温度を低下させることなく反応温度近傍の適正な反応温度に保ちながら基材の両面に順次成膜を行うことができ、基材に成膜される酸化物膜の膜質及び成膜速度を向上させて生産効率の向上を図ることができる極めて実用性に秀れた画期的な大気開放型化学気相析出装置を提供することを目的としている。
【課題を解決するための手段】
【０００８】
添付図面を参照して本発明の要旨を説明する。
【０００９】
気化させた成膜材料とキャリアーガスとから成る材料ガスを、材料噴霧手段10により大気開放下で加熱される基材１に吹き付けてこの基材１の両面に酸化物膜を成膜する大気開放型化学気相析出装置であって、基材１の片面に前記材料ガスを吹き付けて酸化物膜を成膜する第一成膜室２と、この基材１の反対面に前記材料ガスを吹き付けて酸化物膜を成膜する第二成膜室３とを有し、この第一成膜室２若しくは第二成膜室３において基材１の片面に酸化物膜を成膜する際、この反対側の面を加熱する加熱手段４を、第一成膜室２若しくは第二成膜室３のいずれか一方若しくは双方に設け、この第一成膜室２及び第二成膜室３に基材１を順次搬送し得る搬送手段５を備えて、この搬送手段５による搬送により前記基材１の両面に順次酸化物膜を成膜できるように構成したことを特徴とする大気開放型化学気相析出装置に係るものである。
【００１０】
また、前記第一成膜室２及び第二成膜室３の双方に前記加熱手段４を設け、この第一成膜室２は、前記基材１の片面に前記材料ガスを吹き付けながら、この反対側の面を前記加熱手段４により加熱し得るように構成し、前記第二成膜室３は、基材１の前記第一成膜室２において酸化物膜が成膜される前記片面の反対面に前記材料ガスを吹き付けながら、この反対側の面を前記加熱手段４により加熱し得るように構成したことを特徴とする請求項１記載の大気開放型化学気相析出装置に係るものである。
【００１１】
また、前記第一成膜室２に、前記基材１の片面の略全面に前記材料ガスを吹き付け得る材料噴霧手段10と、この反対側の面の略全面を加熱し得る加熱手段４とを設け、前記第二成膜室３に、前記基材１の前記第一成膜室２において酸化物膜が成膜される片面の反対面の略全面に前記材料ガスを吹き付け得る材料噴霧手段10と、この反対側の面の略全面を加熱し得る加熱手段４とを設けたことを特徴とする請求項２記載の大気開放型化学気相析出装置に係るものである。
【００１２】
また、前記第一成膜室２は、縦型に保持された前記基材１の片面に前記材料ガスを吹き付けながら、この反対側の面を加熱し得るように前記材料噴霧手段10と加熱手段４とを構成し、前記第二成膜室３は、縦型に保持された前記基材１の前記第一成膜室２において酸化物膜が成膜される片面の反対面に前記材料ガスを吹き付けながら、この反対側の面を加熱し得るように前記材料噴霧手段10と加熱手段４とを構成したことを特徴とする請求項２，３のいずれか１項に記載の大気開放型化学気相析出装置に係るものである。
【００１３】
また、前記搬送手段５は、前記基材１を縦型に保持したまま前記第一成膜室２及び第二成膜室３に順次搬送し得るように構成したことを特徴とする請求項２〜４のいずれか１項に記載の大気開放型化学気相析出装置に係るものである。
【００１４】
また、前記加熱手段４は、前記基材１の下側程高温で加熱するように構成して、前記基材１の略全面を略均一な温度に加熱し得るように構成したことを特徴とする請求項１〜５のいずれか１項に記載の大気開放型化学気相析出装置に係るものである。
【００１５】
また、前記第一成膜室２若しくは第二成膜室３に搬送される基材１を予備加熱する予備加熱室６を備えたことを特徴とする請求項１〜６のいずれか１項に記載の大気開放型化学気相析出装置に係るものである。
【００１６】
また、前記予備加熱室６に基材１を両面から加熱する予備加熱手段７を設けたことを特徴とする請求項７記載の大気開放型化学気相析出装置に係るものである。
【００１７】
また、前記予備加熱室６，第一成膜室２及び第二成膜室３を一方向に隣接若しくは近接状態に配設し、前記搬送手段５による搬送により、前記基材１が前記各室において連続的に処理されるように構成したことを特徴とする請求項７，８のいずれか１項に記載の大気開放型化学気相析出装置に係るものである。
【００１８】
また、前記予備加熱室６，第一成膜室２及び第二成膜室３の底部に、夫々前記搬送手段５により搬送される基材１若しくはこの搬送手段５が通過し得る搬送スリット部25を設けたことを特徴とする請求項７〜９のいずれか１項に記載の大気開放型化学気相析出装置に係るものである。
【００１９】
また、前記予備加熱室６，第一成膜室２及び第二成膜室３を、これら各室を仕切る仕切り弁部９を介して連設状態に設けたことを特徴とする請求項７〜１０のいずれか１項に記載の大気開放型化学気相析出装置に係るものである。
【００２０】
また、前記第二成膜室３に連設状態に、基材１を冷却するための冷却手段を設けた冷却室８を設けたことを特徴とする請求項１〜１１のいずれか１項に記載の大気開放型化学気相析出装置に係るものである。
【００２１】
また、前記基材１を第一成膜室２及び第二成膜室３において成膜する際、停止状態若しくは搬送状態で酸化物膜を成膜し得るように前記搬送手段５を構成したことを特徴とする請求項１〜１２のいずれか１項に記載の大気開放型化学気相析出装置に係るものである。
【発明の効果】
【００２２】
本発明は上述のように構成したから、簡易な構成で材料ガスを吹き付けた際に基材の温度を低下させることなく反応温度近傍の適正な反応温度に保ちながら基材の両面に順次成膜を行うことができ、基材に成膜される酸化物膜の膜質及び成膜速度を向上させて生産効率の向上を図ることができる極めて実用性に秀れた画期的な大気開放型化学気相析出装置となる。
【００２３】
また、請求項２，３記載の発明においては、本発明を一層容易に実現できる一層実用性に秀れたものとなる。
【００２４】
また、請求項４，５記載の発明においては、大面積の基材であっても良好に酸化物膜を成膜できるより一層実用性に秀れたものとなる。
【００２５】
また、請求項６〜８記載の発明においては、基材の加熱を一層良好に行え、それだけ短時間で良好な酸化物膜を成膜できるより一層実用性に秀れたものとなる。
【００２６】
また、請求項９，１０記載の発明においては、一層効率良く成膜を行えると共に装置のコンパクト化も図れるより一層実用性に秀れたものとなる。
【００２７】
また、請求項１１記載の発明においては、冷却時間を短縮できると共に基材を取り出す際に生じる変形を阻止できるより一層実用性に秀れたものとなる。
【００２８】
また、請求項１２記載の発明においては、各室の断熱性及び気密性を高めてより効率的に成膜を行えるより一層実用性に秀れたものとなる。
【００２９】
また、請求項１３記載の発明においては、より適正な条件で成膜を行うことができるより一層実用性に秀れたものとなる。
【発明を実施するための最良の形態】
【００３０】
好適と考える本発明の実施形態（発明をどのように実施するか）を、図面に基づいて本発明の作用を示して簡単に説明する。
【００３１】
基材１に材料ガスを吹き付けて基材１の両面に酸化物膜を成膜する際、基材１を搬送手段５により第一成膜室２及び第二成膜室３に順次搬送し、第一成膜室２において片面に材料ガスを吹き付けて酸化物膜を成膜し、第二成膜室においてこの酸化物膜が成膜された片面の反対面に材料ガスを吹き付けて酸化物膜を成膜することで、この基材１の両面に順次酸化物膜を成膜する。
【００３２】
即ち、第一成膜室２と第二成膜室３とで基材１の片面ずつ材料ガスを吹き付けて酸化物膜を成膜することで、両面に同時に成膜を行う場合に比し、吹き付けた材料ガス（３００度程度）による基材１（６００度程度）の温度低下を抑制することができる。
【００３３】
しかも、片面に材料ガスを吹き付けながら、この反対側の面を加熱手段４により加熱することで、基材１の温度を材料ガスの反応温度に近い適正な温度に保持しながら成膜を行うことが可能となる。
【００３４】
即ち、例えば、第一成膜室２においては片面に材料ガスを吹き付けながら、この反対側の面を加熱手段４により加熱することで酸化物膜を成膜し、第二成膜室３においては前記酸化物膜が成膜された片面の反対面に材料ガスを吹き付けながら、この反対側の面を加熱手段４により加熱することで酸化物膜を成膜して、この基材１の両面に酸化物膜を成膜することで、基材１の温度低下は一層抑制されることになり、材料ガスに含まれる成膜材料が基材１上で良好に成膜される温度を保持しつつ成膜を行えることになる。
【００３５】
従って、成膜材料をより適正な温度で酸化反応させることができるから、酸化物膜の膜質及び成膜速度を向上させることができ、生産効率の向上を図ることができる。
【００３６】
更に、第一成膜室２及び第二成膜室３は、基材１の片面側に材料噴霧手段10を設け、この反対側の面に加熱手段４を設ける構成であり、これらが一側に片寄らず簡易な構成で実現でき、しかも、この第一成膜室２と第二成膜室３とは略同一構成のもの（前記材料噴霧手段10と加熱手段４の位置が異なるだけ）を採用できるから、それだけ容易且つコスト安に製造できることになる。
【００３７】
また、前記搬送手段５により第一成膜室２及び第二成膜室３に順次搬送することで一連に基材１の両面に成膜を行うことができるから、片面ずつ成膜を行う構成でありながら、厄介な入れ替え作業を必要とせず、更に、基材１の搬入出も容易であり、この点からも生産効率の向上を図ることができる。
【００３８】
更に、基材１の片面のみに成膜を行って取り出した場合、成膜した酸化物膜の内部応力により基材１が歪み及び変形を引き起こし、この酸化物膜のひび割れや剥離を発生させて品質を低下させることがあるが、本発明によれば、例えば第一成膜室２及び第二成膜室３を一方向に隣接若しくは近接状態に配設し、この第一成膜室２及び第二成膜室３で連続的に成膜を行えるようにすることで、上述のような問題を生じさせることなく片面ずつに成膜を行うことができる。
【００３９】
従って、基材１の両面への酸化物膜の成膜を極めて効率良く行うことができるのは勿論、この酸化物膜の膜質を向上させることができ、品質及び生産性の向上を図ることができる。
【００４０】
また、例えば、前記第一成膜室２に、前記基材１の片面の略全面に前記材料ガスを吹き付け得る材料噴霧手段10と、この反対側の面の略全面を加熱し得る加熱手段４とを設け、前記第二成膜室３に、前記基材１の前記第一成膜室２において酸化物膜が成膜される片面の反対面の略全面に前記材料ガスを吹き付け得る材料噴霧手段10と、この反対側の面の略全面を加熱し得る加熱手段４とを設けた場合には、基材１の略全面に効率良く均質な酸化物膜を成膜できることになる。
【００４１】
また、例えば、前記第一成膜室２は、縦型に保持された前記基材１の片面に前記材料ガスを吹き付けながら、この反対側の面を加熱し得るように前記材料噴霧手段10と加熱手段４とを構成し、前記第二成膜室３は、縦型に保持された前記基材１の前記第一成膜室２において酸化物膜が成膜される片面の反対面に前記材料ガスを吹き付けながら、この反対側の面を加熱し得るように前記材料噴霧手段10と加熱手段４とを構成した場合には、大面積の基材１であっても効率良く成膜を行えることになる。
【００４２】
また、例えば、前記加熱手段４は、前記基材１の下側程高温で加熱するように構成して、前記基材１の略全面を略均一な温度に加熱し得るように構成した場合には、大気開放型化学気相析出装置において生じる上昇気流に伴う基材１の温度変化を抑制できることになる。
【００４３】
また、例えば、前記第一成膜室２若しくは第二成膜室３に搬送される基材１を予備加熱する予備加熱室６を備えた場合には、第一成膜室２若しくは第二成膜室３における加熱時間を短縮して短時間で成膜を行えることになる。
【００４４】
また、例えば、前記予備加熱室６，第一成膜室２及び第二成膜室３を一方向に隣接若しくは近接状態に配設し、前記搬送手段５による搬送により、前記基材１が前記各室において連続的に処理されるように構成した場合には、一層効率良く成膜を行えると共に装置のコンパクト化を図れることになる。
【００４５】
また、例えば、前記予備加熱室６，第一成膜室２及び第二成膜室３の底部に、夫々前記搬送手段５により搬送される基材１若しくはこの搬送手段５が通過し得る搬送スリット部25を設けた場合には、搬送手段５を各室の下方に設けることで搬送手段５を設置スペースを取ることなく設置できることになる。
【００４６】
また、例えば、前記第二成膜室３に連設状態に、基材１を冷却するための冷却手段を設けた冷却室８を設けた場合には、基材１を取り出す際の冷却時間を短縮できると共に、急激な温度変化に伴うこの基材１の変形及び酸化物膜に発生するひび割れや剥離を阻止できることになる。
【００４７】
また、例えば、前記基材１を第一成膜室２及び第二成膜室３において成膜する際、停止状態若しくは搬送状態で酸化物膜を成膜し得るように前記搬送手段５を構成した場合には、より適正な成膜条件で酸化物膜を成膜できることになる。
【００４８】
従って、本発明は、簡易な構成で材料ガスを吹き付けた際に基材の温度を低下させることなく反応温度近傍の適正な反応温度に保ちながら基材の両面に順次成膜を行うことができ、基材に成膜される酸化物膜の膜質及び成膜速度を向上させて生産効率の向上を図ることができる極めて実用性に秀れた画期的な大気開放型化学気相析出装置となる。
【実施例】
【００４９】
本発明の具体的な実施例について図面に基づいて説明する。
【００５０】
本実施例は、気化させた成膜材料とキャリアーガスとから成る材料ガスを、材料噴霧手段10により大気開放下で加熱される基材１に吹き付けてこの基材１の両面に酸化物膜を成膜する大気開放型化学気相析出装置であって、基材１の片面に前記材料ガスを吹き付けて酸化物膜を成膜する第一成膜室２と、この基材１の反対面に前記材料ガスを吹き付けて酸化物膜を成膜する第二成膜室３とを有し、この第一成膜室２若しくは第二成膜室３において基材１の片面に酸化物膜を成膜する際、この反対側の面を加熱する加熱手段４を、第一成膜室２及び第二成膜室３に夫々設け、この第一成膜室２及び第二成膜室３に基材１を順次搬送し得る搬送手段５を備えて、この搬送手段５による搬送により前記基材１の両面に順次酸化物膜を成膜できるように構成したものである。
【００５１】
具体的には、前記第一成膜室２に、前記基材１の片面の略全面に前記材料ガスを吹き付け得る材料噴霧手段と、この反対側の面の略全面を加熱し得る加熱手段４とを設け、前記第二成膜室３に、前記基材１の前記第一成膜室２において酸化物膜が成膜される片面の反対面の略全面に前記材料ガスを吹き付け得る材料噴霧手段と、この反対側の面の略全面を加熱し得る加熱手段４とを設けている。
【００５２】
従って、第一成膜室２若しくは第二成膜室３において基材１の片面の略全面を加熱しながら効率良く且つ均質な酸化物膜を成膜できることになる。
【００５３】
また、前記第一成膜室２は、縦型に保持された前記基材１の片面に前記材料ガスを吹き付けながら、この反対側の面を加熱し得るように前記材料噴霧手段と加熱手段４とを構成し、前記第二成膜室３は、縦型に保持された前記基材１の前記第一成膜室２において酸化物膜が成膜される片面の反対面に前記材料ガスを吹き付けながら、この反対側の面を加熱し得るように前記材料噴霧手段と加熱手段４とを構成している。
【００５４】
更に、前記搬送手段５は、前記基材１を縦型に保持したまま前記第一成膜室２及び第二成膜室３に順次搬送し得るように構成している。
【００５５】
従って、基材１は大面積になると横型に保持した場合、自重で撓みやすくなり成膜を適正に行えない場合が多いが、縦型に保持しながら成膜を行うことで、基材１が撓わむことなく良好に成膜を行えることになり、簡易な構成にして大面積の基材１の成膜に極めて適したものとなる。
【００５６】
また、縦型に保持した基材１に成膜を行うように構成することで、第一成膜室２及び第二成膜室３の構成も縦型となり、それだけ少ない設置スペースに設置できるからコンパクト化も達成できる。
【００５７】
但し、特に大面積の基材１を縦型に保持した場合、成膜室において高温のガスを吹き付けることから、上昇気流が生じやすく、それだけ基材１の表面温度が下側程低温に、上側程高温になりやすいため、本実施例においては、基材１の片面全面を同一温度で加熱するのではなく、前記加熱手段４は、前記基材１の下側程高温で加熱するように構成して、前記基材１の略全面を略均一な温度に加熱し得るように構成している。
【００５８】
尚、本実施例においては、上述のように基材１を縦型に保持したまま各処理を行うように構成しているが、横型に保持したまま各処理を行うように構成しても良い。
【００５９】
また、本実施例の第一成膜室２には、この第一成膜室２に搬送される基材１を予備加熱する予備加熱室６を連設状態に設けている。具体的には、この予備加熱室６には、基材１を両面から加熱する予備加熱手段７（例えばセラミックにヒータ線を埋め込んで成るヒータ）を設けている。
【００６０】
従って、成膜室における加熱時間を短縮してより効率的に成膜を行え、しかも、成膜時に基材１に反り等の変形が生じにくい構成である。
【００６１】
尚、本実施例の予備加熱室６には、基材１の両面から加熱する予備加熱手段７を設けた構成としているが、片面を加熱する予備加熱手段７を設けた構成としても良い。更に、本実施例においては予備加熱室６を一つ設けた場合について説明しているが、複数の予備加熱室６を連設し、搬送方向に沿って予備加熱室６毎に加熱温度を徐々に高くして基材１を段階的に加熱するように構成したり、加熱温度を同一温度として加熱時間を短縮し得るように構成しても良い。
【００６２】
また、本実施例においては、予備加熱室６，第一成膜室２及び第二成膜室３を一方向に連設状態に配設し、前記搬送手段５による搬送により、前記基材１が前記各室において連続的に処理されるように構成している。具体的には、搬送手段５を、基材１を所定方向に搬送するように構成し、この搬送手段５の搬送ライン上に前記各室を並設した構成である。
【００６３】
従って、予備加熱された基材１はその温度低下が可及的に阻止されながら第一成膜室２及び第二成膜室３で連続的に処理され、それだけ効率的に成膜を行えることになり、装置のコンパクト化も図ることができる。
【００６４】
また、本実施例においては、前記予備加熱室６，第一成膜室２及び第二成膜室３の底部に、夫々前記搬送手段５により搬送される基材１若しくはこの搬送手段５が通過し得る搬送スリット部25を設けている。従って、前記各室と搬送手段とを並設する構成でなく、各室の下方に前記搬送手段５を設ける構成であり、この点からもコンパクト化を図ることができることになる。
【００６５】
尚、本実施例においては、搬送手段５を各室の下方に設けた構成であるが、この搬送手段５を各室と並設状態に設けた構成としても良い。
【００６６】
また、前記予備加熱室６，第一成膜室２及び第二成膜室３を、これら各室を仕切る仕切り弁部９を介して連設状態に設けている。従って、この仕切り弁部９により加熱若しくは冷却される各室の断熱が一層良好となり、温度分布によって左右されやすい成膜をより一層良好に行えることになる。
【００６７】
また、前記第二成膜室３に連設状態に、基材１を冷却するための冷却手段を設けた冷却室８を設けている。
【００６８】
具体的には、この冷却手段としては、基材１にひび割れが生じない程度に徐々に加熱温度を下げながら冷却するためのヒータを採用している。尚、冷却時間を短縮したい場合には、水冷された冷却板を前記冷却室８に設けた構成としても良いし、不活性ガスや大気を送風することでこの基材１を冷却する構成としても良い。更に、冷却室８は複数連設した構成としても良い。従って、冷却時間を短縮できるだけでなく、急冷に伴う基材１の変形を阻止できることになる。
【００６９】
また、前記基材１を第一成膜室２及び第二成膜室３において成膜する際、停止状態若しくは搬送状態で酸化物膜を成膜し得るように前記搬送手段５を構成している。従って、成膜条件をより柔軟に変化させて良好な酸化物膜の成膜が可能となる。
【００７０】
各部を具体的に説明する。
【００７１】
搬送手段５としては、各室の下方にして各室が連設される前記一方向に沿って延びるラック12と、このラック12と係合するピニオン13を備えて前記ラック12に沿って移動するベースキャリアー17とから成り、このベースキャリアー17に前記基材１を保持する基材保持部20を設けた自走式の搬送装置を採用している。
【００７２】
具体的には、基盤16上に固定用板21を介してラック12及びガイドレール22を並設し、板状のベースキャリアー17の下面に前記ラック12及びガイドレール22上を摺動移動する摺動体15を取り付け、前記ベースキャリアー17の上面に前記ラック12と噛合するピニオン13を駆動するサーボモータ14を設け、このサーボモータ14の駆動によりベースキャリアー17がピニオン13の回転方向に応じた方向に前記ラック12及びガイドレール22に沿って移動するように構成し、このベースキャリアー17上に前記基材保持部20を有する支持体18を設け、この基材保持部20により保持した基材１を搬送し得るように構成している。
【００７３】
従って、搬送装置をコンパクトにすることができるから、それだけ本装置の小型化を図ることが可能となる。
【００７４】
また、この搬送装置の駆動部が、成膜室の外部に設けられることで、駆動部を常温で動作させることが可能となり、駆動部の耐久性及び信頼性の向上を図ることができる。従って、本実施例においては前記ベースキャリアー17をラック＆ピニオン機構によって移動させる構成としているが、駆動方式は、他の機構、例えばボールネジ機構やベルト機構を採用しても良い。
【００７５】
予備加熱室６，第一成膜室２，第二成膜室３及び冷却室８には、底部に上述の搬送スリット部25が設けられている。
【００７６】
具体的には、前記搬送スリット部25は、各室の下部に設けた開口部26と、この開口部26を閉塞する（シリコンラバー製の）シール部19とで構成されている。このシール部19は、前記基材保持部20をシールした状態で搬送するように構成し、搬送装置により基材１を搬送する際、この搬送装置の基材保持部20により、シール部19を左右に押し広げながら基材１を搬送し得るように構成している。
【００７７】
従って、搬送時にも前記各室の密閉性が可及的に保持される構成であり、それだけ放熱を阻止できることになり、一層効率的に均一な膜質を有する酸化物膜を成膜できることになる。
【００７８】
また、第一成膜室２及び第二成膜室３の上部には、材料ガスを排気する排気部が設けられている。具体的には、排気部は、排出口11と、この排出口11に設けられるダンパ23とから成り、このダンパ23により材料ガスによる上昇気流が可及的に起きにくい開口面積に設定できるようにしている。
【００７９】
また、第一成膜室２及び第二成膜室３には、この前記材料噴霧手段10であるノズル体と、前記加熱手段４である例えば公知のセラミックにヒータ線を埋め込んで成るヒータとが対向状態に設けられ、このノズル体とヒータとの間を縦型に保持された基材１が搬送されるように構成している。
【００８０】
このノズル体は、縦型に保持された基材１の片面の略全面に同時に成膜できるように複数並設状態に設けられている。具体的には、本実施例においては上下方向に３つ並設した構成である。 
従って、前記片面の略全面に同時に成膜できるから、それだけ成膜速度が速く、短時間で成膜を行うことができ効率良く基材１の両面に酸化物膜を成膜できることになる。
【００８１】
このノズル体には、夫々公知のキャリアーガス及び成膜材料ガス供給系24により、気化された成膜材料がキャリアーガス（窒素）により搬送されて前記各成膜室に導入されるように構成している。
【００８２】
ところで、本実施例は３５０度程度に加熱した材料ガスを６００度程度に加熱した縦型の基材１に吹き付けることで成膜を行うため、この高温の材料ガスにより上昇気流が生じて基材１の上部程温度が上昇しやすく、縦長であることから、上下方向に温度分布が生じる。
【００８３】
そこで、本実施例においては、前記加熱手段４を、前記搬送手段５に保持される基材１の高さ方向に少なくとも２以上に分割して設け、この分割された加熱手段４を夫々独立に加熱制御し得るように構成している。
【００８４】
具体的には、この加熱手段４は基材１の上下方向に３分割して設け、この分割された加熱手段４を夫々独立に加熱制御し得るように構成している。更に具体的には、ヒータを上下方向に３つ並設した構成としている。
【００８５】
従って、縦型の基材１に成膜する際には、上述のように上昇気流によって基材１の上下方向に温度分布が生じる場合があるが、本実施例においては、基材１の各部を夫々独立に制御したヒータにより加熱することができるから、基材１の温度を均一に保持でき、それだけ良好に成膜を行えることになる。
【００８６】
尚、本実施例においては加熱手段４を前記基材１の上下方向に３分割した構成であるが、２分割等、他の構成としても良い。
【００８７】
また、上述の各室の周壁部は断熱材により形成され、この点からも成膜室等からの熱放散は可及的に阻止されることになる。
【００８８】
また、各室を仕切る仕切り弁部９としては、自動で開閉可能な公知の弁を採用している。この仕切り弁部９は、各室を密閉する必要はなく、断熱を行える構成であれば良い。
【００８９】
また、本実施例の予備加熱室６には基材搬入用の搬入室27を連設し、冷却室８には基材搬出用の搬出室28を連設している。従って、本実施例は、搬入室27から搬入された基材１を、予備加熱室６で予備加熱し、第一成膜室２及び第二成膜室３で一連に基材１の両面に酸化物膜を成膜し、この両面に酸化物膜が成膜された基材１を冷却室８で冷却して、搬出室28から搬出する構成であり、予備加熱室６及び冷却室８からの熱放散を阻止してより効率的に成膜を行えることになる。
【００９０】
本実施例は上述のように構成したから、基材１に材料ガスを吹き付けて基材１の両面に酸化物膜を成膜する際、基材１を搬送手段５により第一成膜室２及び第二成膜室３に順次搬送し、第一成膜室２において片面に材料ガスを吹き付けて酸化物膜を成膜し、第二成膜室においてこの酸化物膜が成膜された片面の反対面に材料ガスを吹き付けて酸化物膜を成膜することで、この基材１の両面に順次酸化物膜を成膜する。
【００９１】
即ち、第一成膜室２と第二成膜室３とで基材１の片面ずつに材料ガスを吹き付けて酸化物膜を成膜することで、両面に同時に成膜を行う場合に比し、吹き付けた材料ガス（３００度程度）による基材１（６００度程度）の温度低下を抑制することができる。
【００９２】
しかも、片面に材料ガスを吹き付けながら、この反対側の面を加熱手段４により加熱することで、基材１の温度を材料ガスの反応温度に近い適正な温度に保持しながら成膜を行うことが可能となる。
【００９３】
即ち、第一成膜室２においては片面に材料ガスを吹き付けながら、この反対側の面を加熱手段４により加熱することで酸化物膜を成膜し、第二成膜室３においては前記酸化物膜が成膜された片面の反対面に材料ガスを吹き付けながら、この反対側の面を加熱手段４により加熱することで酸化物膜を成膜して、この基材１の両面に酸化物膜を成膜することで、基材１の温度低下は一層抑制されることになり、材料ガスに含まれる成膜材料が基材１上で良好に成膜される温度を保持しつつ成膜を行えることになる。
【００９４】
従って、成膜材料をより適正な温度で酸化反応させることができるから、酸化物膜の膜質及び成膜速度を向上させることができ、生産効率の向上を図ることができる。
【００９５】
更に、第一成膜室２及び第二成膜室３の構成は、基材１の片面側に材料噴霧手段10を設け、この反対側の面に加熱手段４を設ける構成であり、これらが一側に片寄らず簡易な構成で実現でき、しかも、この第一成膜室２と第二成膜室３とは略同一構成のもの（前記材料噴霧手段10と加熱手段４の位置が異なるだけ）を採用できるから、それだけ容易且つコスト安に製造できることになる。
【００９６】
また、前記搬送手段５により第一成膜室２及び第二成膜室３に順次搬送することで一連に基材１の両面に成膜を行うことができるから、片面ずつ成膜を行う構成でありながら、厄介な入れ替え作業を必要とせず、更に、基材１の搬入出も容易であり、この点からも生産効率の向上を図ることができる。
【００９７】
更に、基材１の片面のみに成膜を行って取り出した場合、成膜した酸化物膜の内部応力により基材１が歪み及び変形を引き起こし、この酸化物膜のひび割れや剥離を発生させて品質を低下させることがあるが、本実施例によれば、第一成膜室２及び第二成膜室３を一方向に連設状態に配設し、この第一成膜室２及び第二成膜室３で連続的に成膜を行えるから、上述のような問題を生じさせることなく片面ずつに成膜を行うことができる。
【００９８】
従って、基材１の両面への酸化物膜の成膜を極めて効率良く行うことができるのは勿論、この酸化物膜の膜質を向上させることができ、品質及び生産性の向上を図ることができる。
【００９９】
また、簡易な構成の第一成膜室２及び第二成膜室３により基材の両面に成膜を行えるから、それだけコスト安に製造できることになる。
【０１００】
従って、本実施例は、簡易な構成で材料ガスを吹き付けた際に基材の温度を低下させることなく反応温度近傍の適正な反応温度に保ちながら基材の両面に順次成膜を行うことができ、基材に成膜される酸化物膜の膜質及び成膜速度を向上させて生産効率の向上を図ることができる極めて実用性に秀れた画期的な大気開放型化学気相析出装置となる。
【０１０１】
本発明は、本実施例に限られるものではなく、各構成要件の具体的構成は適宜設計し得るものである。
【図面の簡単な説明】
【０１０２】
【図１】本実施例の構成概略説明図である。
【図２】本実施例の成膜室の概略説明断面図である。
【図３】本実施例の搬送手段の概略説明斜視図である。
【符号の説明】
【０１０３】
１  基材
２  第一成膜室
３  第二成膜室
４  加熱手段
５  搬送手段
６  予備加熱室
７  予備加熱手段
８  冷却室
９  仕切り弁部
10  材料噴霧手段
【図１】
2005330530.tif 000003
【図２】
2005330530.tif 000004
【図３】
2005330530.tif 000005